【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
秘密分散法を利用して電子データを送受信する電子データ送受信システムにおいて、
前記電子データの発信元である送信元装置、ネットワークを介して前記電子データを受信する送信先装置および前記ネットワークに接続されたデータサーバを有し、
前記送信元装置が、秘密分散法を用いて、前記電子データを所定数の部分データからなる部分データ群に分割し、
前記送信元装置が、前記部分データ群を第1の部分データ群と第2の部分データ群に分類し、
前記送信元装置が、前記第1の部分データ群に対応し、前記部分データ群の部分データから前記電子データを復元するための付属データであって、当該付属データと前記部分データを合わせた個数を示す個数情報および前記第2の部分データ群の格納位置を指定する位置関連情報を含む付属データを生成し、
前記送信元装置が、前記ネットワークを介して前記送信先装置に、前記第1の部分データ群および付属データを、前記ネットワークを介して前記データサーバに前記第2の部分データ群を送信し、
前記送信先装置は、前記第1の部分データ群および前記付属データを受信し、
前記送信先装置は、前記付属データを用いて、前記第2のデータ群の格納位置を特定し、
前記送信先装置は、特定された前記前記格納位置にアクセスして、前記データサーバから前記第2の部分データ群の部分データを読み込み、
前記送信先装置は、前記付属データを用いて、前記第1の部分データ群の部分データ、前記第2の部分データ群の部分データおよび前記付属データに対する改ざんの有無を検知し、
前記送信先装置は、前記付属データを用いて、前記第1の部分データ群の部分データおよび前記第2の部分データ群の部分データから前記電子データを復元することを特徴とする電子データ送受信システム。
【請求項２】
請求項１に記載の電子データ送受信方法において、
前記送信元装置は、前記付属データを１個以上生成することを特徴とする電子データ送受信方法。
【請求項３】
請求項２に記載の電子データ送受信システムにおいて、
前記送信元装置は、前記付属データを前記第1の部分データの個数生成することを特徴とする電子データ送受信システム。
【請求項４】
請求項１乃至３のいずれかに記載の電子データ送受信システムにおいて、
前記送信元装置は、前記第1の部分データ群の部分データ、前記第2の部分データ群の部分データおよび前記付属データのそれぞれに、復元対象となる他の部分データもしくは付属データを識別する情報を含ませることを特徴とする電子データの送受信システム。
【請求項５】
請求項１乃至４のいずれかに記載の電子データ送受信システムにおいて、
前記送信先装置は、前記個数情報を用いて、改ざんの有無を検知することを特徴とする電子データ送受信システム。
【請求項６】
請求項５に記載の電子データ送受信システムにおいて、
前記送信元装置および前記送信先装置のぞれぞれは、所定の情報列を記憶しておき、
前記送信元装置は、前記第1の部分データ群の部分データ、前記第2の部分データ群の部分データおよび前記付属データのそれぞれに対して、当該データの所定位置に、所定規則に従って前記情報列を構成する符号を差し込み、
前記送信先装置は、前記符号を集合することで前記情報列を構成し、予め記憶されている情報列と比較することで前記第1の部分データ群の分データ、前記第2の部分データ群の部分データおよび前記付属データに対する改ざんの有無を検知することを特徴とする電子データ送受信システム。
【請求項７】
請求項１乃至６のいずれかに記載の電子データ送受信システムにおいて、
前記送信元装置は、前記第1の部分データ群の部分データ、前記第2の部分データ群の部分データおよび前記付属データのそれぞれを、所定時間の間隔を空けて連続的に送信することで、
異なる通信経路で前記第1の部分データ群の部分データ、前記第2の部分データ群の部分データおよび前記付属データのそれぞれを送信する可能性を高めることを特徴する電子データ送受信システム。
【請求項８】
請求項７に記載の電子データ送受信システムにおいて、
前記送信元装置は、前記所定時間として、一定の間隔で、前記第1の部分データ群の部分データ、前記第2の部分データ群の部分データおよび前記付属データのそれぞれを、送信することを特徴とする電子データ送受信システム。
【請求項９】
請求項３に記載の電子データ送受信システムにおいて、
前記送信元装置は、前記第1の部分データ群の部分データそれぞれと生成された前記付属データのそれぞれを対応付けて、前記送信先装置に送信することを特徴とする電子データ送受信システム。
【請求項１０】
秘密分散法を利用して電子データを送受信する電子データ送受信方法において、
前記電子データの送信元である送信元装置が、秘密分散法を用いて、前記電子データを所定数の部分データからなる部分データ群に分割し、
前記送信元装置が、前記部分データ群を第1の部分データ群と第2の部分データ群に分類し、
前記送信元装置が、前記第1の部分データ群の部分データに対応し、前記部分データ群の部分データから前記電子データに復元するための付属データであって、前記第2の部分データ群の格納位置に関連する位置関連情報を含む付属データを生成し、
前記送信元装置が、ネットワークを介して前記電子データの送信先である送信先装置に前記付属データおよび前記第１の部分データ群を、前記ネットワークを介してデータサーバに前記第2の部分データ群を送信し、
前記送信先装置が、前記第1の部分データ群および前記付属データを受信し、
前記送信先装置が、前記付属データを用いて、前記第2の部分データ群の格納位置を特定し、
前記送信先装置が、特定された前記格納位置にアクセスして、前記データサーバから前記第2の部分データ群の部分データを読み込み、
前記送信先装置が、読み込まれた前記第2の部分データ群の部分データと受信した前記第1の部分データ群の部分データから、前記付属データを用いて、前記電子データを復元することを特徴とする電子データ送受信方法。
【請求項１１】
請求項１０に記載の電子データ送受信方法において、
前記送信元装置は、前記付属データを前記第1の部分データの個数生成することを特徴とする電子データ送受信方法。
【請求項１２】
請求項１１に記載の電子データ送受信方法において、
前記送信元装置は、前記第1の部分データ群の部分データそれぞれと生成された前記付属データのそれぞれを対応付けて、前記送信先装置に送信することを特徴とする電子データ送受信方法。
【請求項１３】
請求項１１または１２のいずれかに記載の電子データ送受信方法において、
前記送信先装置は、前記付属データのそれぞれを結合することで、前記位置関連情報から前記第2の部分データ群の格納位置を示す位置情報を生成することを特徴とする電子データ送受信方法方法。
【請求項１４】
請求項１３に記載の電子データ送受信方法において、
前記位置情報は、ＵＲＬであることを特徴とする電子データ送受信方法。
【請求項１５】
請求項１０乃至１４のいずれかに記載の電子データ送受信方法において、
前記第2の部分データ群は、１つの部分データから構成されることを特徴とする電子データ送受信方法。
【請求項１６】
請求項１０乃至１５のいずれかに記載の電子データ送受信方法において、
前記送信元装置は、前記付属データとして、当該付属データと前記部分データを合わせた個数を示す情報を含む付属データを生成し、
前記送信先装置は、前記付属データを用いて、前記部分データおよび前記付属データに対する改ざんの有無を検知することを特徴とする電子データ送受信方法。
【請求項１７】
請求項１６に記載の電子データ送受信方法において、
前記送信先装置は、前記改ざんが検知されなかった場合、前記電子データの復元を実行することを特徴とする電子データ送受信方法。